(57)【特許請求の範囲】
【請求項１】
商用交流電源からの交流を整流する整流回路及びこの整流回路の出力側に備えたスイッチング素子等を備えた電源回路を高周波トランスの一次側巻線に接続し、前記高周波トランスの二次側巻線に負荷へ電力を供給する二次側直流出力回路を接続し、前記高周波トランスの三次側巻線及び前記電源回路とは別の直流電源回路にそれら両者を接続及び接続解除自在な接続部を備えさせ、前記電源回路、一次側巻線、二次側直流出力回路、二次側巻線、三次側巻線、該回路構成部品から発生する熱を放出するための第１放熱フィン等から交流駆動側ユニットを構成し、前記直流電源回路及び該回路構成部品から発生する熱を放出する第２放熱フィン等から直流電源回路ユニットを構成し、前記接続部を介して接続状態となった直流電源回路ユニットの第２放熱フィンと前記交流駆動側ユニットの第１放熱フィンとを互いに熱伝導状態にするための熱伝導手段を設けたことを特徴とする電源装置。
【請求項２】
前記直流電源回路が、前記電源回路のスイッチング素子と同期して、又は該電源回路の動作状態に応じて作動させるスイッチング素子を備えてなる請求項１記載の電源装置。
【請求項３】
前記交流駆動側ユニットを収納する第１ケーシングと、前記直流電源回路ユニットを収納する第２ケーシングとを設け、前記両ケーシングを互いに接近する方向に引き寄せると共に前記第１放熱フィンと第２放熱フィンを前記ケーシングそれぞれに形成された開口を通して接触状態にするための連結手段から前記熱伝導手段を構成してなる請求項１又は２記載の電源装置。
【請求項４】
前記連結手段が、単数又は複数のねじからなる請求項３記載の電源装置。
【請求項５】
前記回路構成部品が、ダイオード及び前記スイッチング素子である請求項１記載の電源装置。
【請求項６】
前記第１ケーシングに形成した孔を通してそれの内部空気を外部に排出するための排出ファンを該第１ケーシング内に設け、前記第２ケーシング内の内部空気を前記排出ファンにより第１ケーシング側へ移動させるための空気案内用の孔を前記第１ケーシング及び第２ケーシングに形成してなる請求項３記載の電源装置。
【発明の詳細な説明】
【０００１】
【発明の属する技術分野】
本発明は、例えば通常時には、商用交流電源（ＡＣ）から整流した後の出力により負荷を駆動し、停電等の異常時には、二次電池等の直流電源からの出力により負荷を駆動することができる無停電性二重化電源装置を容易迅速に構成することができる電源装置に関する。特に、防犯、防災、通信、情報（サーバコンピュータ、ＦＡパソコン等）、医療向けの精密機械や自動機械等重要度の高い機器を作動させるために用いる無停電性二重化電源装置に転用することができる電源装置に関する。ここで、停電とは、電力（電流）供給が断たれることを指し、例えば電力会社からの供給電力が断たれる場合や、ブレーカが落ちたり、コンセントが抜ける、あるいは断線等により供給電力が断たれる場合等を指すことにする。
【０００２】
【従来の技術】
上記電源装置を、例えばサーバコンピュータ等に用いる場合には、２４時間５年間無停止連続運転を行う等の要求があるため、無停電性二重化電源装置を構成する必要性があるが、個人が使用しているパソコン（パーソナルコンピュータ）等においてはコストの高騰等の問題から、無停電性二重化電源装置の必要性が低い。しかしながら、ユーザーには、商用交流電源が正常な時、つまり通常時にのみ使用可能な安価な電源装置を必要とする他、停電時等の異常時にも機器を使用することができる無停電性二重化電源装置を必要とすることから、２種類の電源装置を製造しているのが現状である。
又、停電時に対応することができる無停電性二重化電源装置とは異なる電源装置、つまり所望の電圧を出力するための出力端子が増設された電源装置を必要とする場合があり、前記２種類の電源装置に加えて合計３種類以上の電源装置を製造することになる。
【０００３】
【発明が解決しようとする課題】
上記のように３種類以上の他種類の電源装置を製造する場合には、製造コストが高くなるだけでなく、製造後の保管コストも種類が増えれば増えるほど高くなるものであった。
又、前記無停電性二重化電源装置を、例えば図６に示すものが従来から知られている。これは、商用交流電源１に接続される整流回路４、アクティブフィルター回路５、高周波トランス２を介して二次側駆動回路Ｂに電圧を供給するためのスイッチング素子８及びゲート回路７等からなる一次側駆動回路Ａと、前記二次側駆動回路Ｂに接続されるバッテリ等からなる二次電池３と、負荷１４へ３種類の大きさの直流電圧を降圧して得るために降圧するために単数の二次側駆動回路Ｂに対して並列接続された３個のＤＣ−ＤＣコンバータ５０とを備えている。図に示す１１は、整流用のダイオードであり、１２は、平滑用チョークコイルであり、１３は平滑コンデンサである。
上記構成によれば、単一の二次側駆動回路Ｂに二次電池３や３個のＤＣ−ＤＣコンバータ５０を接続する関係上、二次側駆動回路Ｂが複雑で大型になるだけでなく、ＤＣ−ＤＣコンバータ５０が故障すると、通常時（正常時）であってもそのＤＣ−ＤＣコンバータ５０を経由して出力される箇所の直流電圧を取り出すことができない不都合もあった。
又、ＤＣ−ＤＣコンバータ５０を介在するため、一次側のスイッチング電源回路の効率７５〜８０％に二次側のＤＣ−ＤＣコンバータ５０の効率７５〜８０％を掛け合わせた約５５〜６４％のトータル効率となるため、エネルギーロスが問題になる不都合がある。
【０００４】
そこで、本発明が前述の状況に鑑み、解決しようとするところは、高効率でかつ小型化を図ることができ、しかも各種機能を持った電源装置に構成することを組み立て作業面は勿論のこと、コスト面においても有利な電源装置を提供する点にある。
【０００５】
【課題を解決するための手段】
本発明の電源装置は、前述の課題解決のために、商用交流電源からの交流を整流する整流回路及びこの整流回路の出力側に備えたスイッチング素子等を備えた電源回路を高周波トランスの一次側巻線に接続し、前記高周波トランスの二次側巻線に負荷へ電力を供給する二次側直流出力回路を接続し、前記高周波トランスの三次側巻線及び前記電源回路とは別の直流電源回路にそれら両者を接続及び接続解除自在な接続部を備えさせ、前記電源回路、一次側巻線、二次側直流出力回路、二次側巻線、三次側巻線、該回路構成部品から発生する熱を放出するための第１放熱フィン等から交流駆動側ユニットを構成し、前記直流電源回路及び該回路構成部品から発生する熱を放出する第２放熱フィン等から直流電源回路ユニットを構成し、前記接続部を介して接続状態となった直流電源回路ユニットの第２放熱フィンと前記交流駆動側ユニットの第１放熱フィンとを互いに熱伝導状態にするための熱伝導手段を設けたことを特徴としている。
上記のように、商用交流電源が加わる一次側の電源回路、二次側直流出力回路、三次側の直流電源回路のそれぞれを、高周波トランスを介して電気的に完全に絶縁した状態で接続することによって、各回路を簡素化することができる。しかも、バッテリ等の二次電池が接続される直流電源回路を三次側に設けることによって、高周波トランスに対する二次側巻線の巻数を変更するだけで二次側の出力電圧を変更することができるから、従来のような単数の二次側駆動回路に対して複数のＤＣ−ＤＣコンバータ等の降圧回路を接続して異なる出力電圧を形成することが不要になる。又、三次側巻線及び前記電源回路とは別の直流電源回路にそれら両者を接続及び接続解除自在な接続部を備えさせることによって、必要に応じて構成した各種の直流電源回路を三次側巻線の接続部に接続するだけで、無停電性二重化電源装置を構成したり、大きさの異なる他の出力電圧を二次側に出力することができる電源装置に構成する等、共通な交流駆動側ユニットに対して必要に応じて前記各種の直流電源回路を接続するだけで所望の電源装置を得ることができる。
しかも、直流電源回路ユニットを交流駆動側ユニットに接続した時に、熱伝導手段にて、直流電源回路ユニットの第２放熱フィンと交流駆動側ユニットの第１放熱フィンとを互いに熱伝導状態にすることによって、放熱面積を飛躍的に増やすことができる。特に、無停電性二重化電源装置の場合には、交流駆動側ユニットにて二次側駆動回路を駆動している状態では、直流電源回路ユニットには、電流が流れていない状態であるため、直流電源回路ユニットの非使用状態の第２放熱フィンを交流駆動側ユニットの回路構成部品から発生する熱を放出する放熱フィンとして有効利用することができる。又、大きさの異なる他の出力電圧を二次側に出力することができる電源装置を構成した場合でも、前記他の出力電圧を使用していない状態では、前記無停電性二重化電源装置の場合と同様に非使用状態の第２放熱フィンを交流駆動側ユニットの回路構成部品から発生する熱を放出する放熱フィンとして利用することができる。尚、無停電性二重化電源装置を構成した場合には、雷サージや各種のインパルスサージ等により故障しても、瞬時に直流電源回路から電力供給を行うことにより負荷を停止させることなく連続して駆動することができる利点がある。前記直流電源回路に対するスイッチング素子は、交流側電源回路の電圧が所定電圧よりも低下した又は零になった場合には、空運転又はＯＦＦ（停止）状態から能動状態に切り替えることになる。前記空運転とは、スイッチング素子が交流側電源回路のスイッチング素子と同期してＯＮ−ＯＦＦを繰り返しているが、電流が流れない状態を言う。
【０００６】
前記直流電源回路が、前記電源回路のスイッチング素子と同期して、又は該電源回路の動作状態に応じて作動させるスイッチング素子を備えている。
【０００７】
前記交流駆動側ユニットを収納する第１ケーシングと、前記直流電源回路ユニットを収納する第２ケーシングとを設け、前記両ケーシングを互いに接近する方向に引き寄せると共に前記第１放熱フィンと第２放熱フィンを前記ケーシングそれぞれに形成された開口を通して接触状態にするための連結手段から前記熱伝導手段を構成している。
上記のように第１放熱フィンと第２放熱フィンとを連結手段にて直接接触状態にすることによって、金属製の第１ケーシング及び第２ケーシングを介して熱伝導させる場合に比べて熱伝導率が低下することを可及的に回避することができ、その分熱放出を効率よく行うことができる。又、連結手段にて第１ケーシング及び第２ケーシングを一体化することができる。
【０００８】
前記連結手段を、単数又は複数のねじから構成することによって、係止等により連結する場合において、第１放熱フィンと第２放熱フィンとの接触が不良になる等の問題を確実に解消することができる。
【０００９】
前記回路構成部品を、熱の発生が比較的大きなダイオード及びスイッチング素子とすることによって、効率よく放熱することができる。
【００１０】
前記第１ケーシングに形成した孔を通してそれの内部空気を外部に排出するための排出ファンを該第１ケーシング内に設け、前記第２ケーシング内の内部空気を前記排出ファンにより第１ケーシング側へ移動させるための空気案内用の孔を前記第１ケーシング及び第２ケーシングに形成することによって、強制的に効率よく内部の温度を下げることができる。
【００１１】
【発明の実施の形態】
図１に、フォワード型の無停電性二重化電源装置を示している。この無停電性二重化電源装置は、商用交流電源１からの交流を整流して高周波トランス２の一次側巻線Ｎ１に出力するための電源回路Ａと、前記高周波トランス２の二次側巻線Ｎ２に電気的に絶縁された状態で接続され、かつ、負荷８へ直流電力を供給するための二次側直流出力回路Ｂと、前記高周波トランス２の三次側巻線Ｎ３に前記電源回路Ａの動作状態に応じて二次電池（以下、バッテリと言う）３の出力により前記二次側直流出力回路Ｂへ電力供給するための直流電源回路Ｃとから構成している。前記バッテリ３としては、ニッケル水素用電池、リチウム電池、鉛電池、ニッカド電池を用いてもよい。又、二重化電源装置としては、フォワード型の他、フライバック型、フルブリッジ型、ハーフブリッジ型等があり、どのような形式の二重化電源装置に構成してもよい。
【００１２】
前記電源回路Ａは、前記商用交流電源１からの交流を整流するための整流回路４、高調波電流防止用回路としてのアクティブフィルター回路（省略してもよい）５、前記アクティブフィルター回路５からの直流電圧を蓄えるための平滑コンデンサ６、ゲート回路７からのゲート信号により作動され、かつ、高周波トランス２の一次側巻線Ｎ１に接続されるスイッチング素子としてのＦＥＴ８、前記直流電源回路Ｃから電源回路Ａへ誘起電圧による過電流の逆流を阻止する手段としての逆流阻止ダイオード９を主要構成部品としているが、他の構成であってもよい。
【００１３】
前記二次側直流出力回路Ｂは、３種類の直流出力電圧（図では上から１２Ｖ、５Ｖ、３．３Ｖであるが、電圧値はどのように設定してもよい）を負荷１４へ出力することができるように巻数の異なる二次側巻線Ｎ２の３個（ここでは３個であるが、１個又は２個あるいは４個以上であってもよい）のそれぞれに、マグアンプ１０、整流ダイオード１１、平滑コイル１２、平滑コンデンサ１３、負荷１４への電圧を定電圧に制御するために前記マグアンプ１０のＯＮ時間を制御する制御回路１５が接続されている。前記マグアンプ１０及び制御回路１５を設けることによって、負荷１４へ定電圧を出力することができる利点があるが、省略して実施することもできる。
【００１４】
前記直流電源回路Ｃは、前記バッテリ３の状態を監視するためのバッテリ状態監視信号回路１６と、前記バッテリ３を充電するための充電回路１７、ゲート回路１８からのゲート信号により作動され、かつ、高周波トランス２の三次側巻線Ｎ３に接続されるスイッチング素子としてのＦＥＴ１９、前記電源回路Ａから直流電源回路Ｃへ誘起電圧による過電流の逆流を阻止する手段としての逆流阻止ダイオード２０から構成しているが、他の構成であってもよい。前記バッテリ状態監視信号回路１６は、バッテリ３が充電状態であるか放電状態であるかを検出し、その出力信号によりバッテリ３に対する充電制御又は放電制御を行うための制御信号を出力したり、バッテリ３の電圧低下状態を検出して放電終止電圧に達することによりバッテリ３からの放電を停止するための信号を出力したり、停電検出信号又は停電復帰信号を受けて直流電源回路Ｃの駆動又は停止を行うための制御信号を出力する等、各種信号のやりとりを行うために設けられたものである。
【００１５】
前記構成の二重化電源装置において、例えば図示していない制御回路から前記２つのゲート回路７，１８に制御信号を常に出力するようにして、２つのスイッチング素子８，１９を同期させる構成にしてもよいし、又、商用交流電源１が正常時では、電源回路Ａのスイッチング素子８を能動状態にし、かつ、直流電源回路Ｃのスイッチング素子１９を前記スイッチング素子８と同期させて空運転又はＯＦＦ状態にし、商用交流電源１からの電圧が所定の電圧を下回った異常時では、前記とは反対に電源回路Ａのスイッチング素子８を前記直流電源回路Ｃのスイッチング素子１９と同期させて空運転又はＯＦＦ状態にし、かつ、直流電源回路Ｃのスイッチング素子１９を能動状態にする等、電源回路Ａの動作状態に応じてスイッチング素子を作動させるようにしてもよい。ここでは、停電時等の電源回路Ａからの出力が断たれた場合に、直流電源回路Ｃから直流電圧を二次側直流出力回路Ｂに出力するように構成した二重化電源装置を示しているが、例えば２４Ｖの電圧を出力することができる他の電源回路を構成して電源装置を構成してもよい。
【００１６】
図１、図３及び図４に示すように、前記電源回路Ａ、一次側巻線Ｎ１、二次側直流出力回路Ｂ、二次側巻線Ｎ２、三次側巻線Ｎ３、電源回路構成部品である前記ダイオード９，１１及びＦＥＴ８から発生する熱を放出するための第１放熱フィン２１等から交流駆動側ユニット２２を構成し、前記交流駆動側ユニット２２を第１ケーシング２５に収納すると共に前記第１放熱フィン２１の一部を該第１ケーシング２５に形成の孔２５Ａを通して外部に露出した状態とし、前記直流電源回路Ｃ及び直流電源回路構成部品である前記ＦＥＴ１９及び逆流阻止ダイオード２０から発生する熱を放出する第２放熱フィン２３等から直流電源回路ユニット２４を構成し、前記直流電源回路ユニット２４を第２ケーシング２６に収納すると共に前記第２放熱フィン２３の一部を該第２ケーシング２６に形成の孔２６Ａを通して外部に露出した状態とし、前記三次側巻線Ｎ３及び前記直流電源回路Ｃにそれら両者を接続及び接続解除自在な雄雌型の接続部Ｓ１，Ｓ２を備えさせ、前記両ケーシング２５，２６を互いに接近する方向に引き寄せると共に前記外部に露出している２つの放熱フィン２１，２３を直接接触状態にするための連結手段としてのねじ２７から熱伝導手段２８を構成している。前記露出とは、外部からむき出しになっている状態を言い、ケーシング２５又は２６から突出していてもよいし、又、ケーシング２５又２６と面一状態でもよいし、ケーシング２５又２６内に引っ込んでいる状態であってもよい。具体的には、前記第２ケーシング２６に形成の貫通孔（図示せず）、前記第２放熱フィン２３に形成の貫通孔２３Ａにねじ２７を挿入した後、ねじ２７を第１放熱フィン２１に形成のねじ孔２１Ａにねじ込むことにより、２つの放熱フィン２１，２３を接触状態に維持することができると同時に、図２（ａ），（ｂ），（ｃ）にも示すように、ケーシング２５，２６を一体化することができるようにしている。このとき、雌型の接続部Ｓ１に雄型の接続部Ｓ２が互いに嵌合して両者Ｓ１，Ｓ２が接続状態になるのである。尚、前記接続部Ｓ１，Ｓ２は、三次側巻線Ｎ３と直流電源回路Ｃとを接続して回路を閉ループにするための２本の端子と、グランドラインを取るためのアース端子の３本からなっている。図では、１本のねじ２７を用いているが、２本以上のねじにより一層確実にフィン２１，２３同士を接触させるようにしてもよい。又、ねじ２７に代えて、ケーシング２５，２６を一体化した状態で係止保持するための被係止部と係止部をケーシング２５，２６のそれぞれに備えさせて実施することもできる。この場合、ねじに比べてケーシング２５，２６の一体化のための操作を迅速に行うことができる利点がある。又、前記フィン２１，２３同士を直接接触させることによって、熱伝導率が低下することを抑制することができる利点があるが、ケーシング２５，２６を介在させてフィン２１，２３同士を熱伝導状態とすることもできる。この場合、ケーシング２５，２６を熱伝導率の高いアルミニウム等の金属で構成することが好ましい。図３に示す２９は、前記バッテリ３へ接続するための電線であり、又、３０は、各種の信号を入出力するための信号線である。又、３１は、商用交流電源に接続する電線や各種信号を入出力するための電線である。ここでは、ケーシング２５，２６にて回路を覆っているものについて説明したが、ケーシング２５，２６のないものであってもよい。
【００１７】
前述のように、放熱フィン２１，２３同士を接触状態にすることによって、商用交流電源１が正常な状態において、電源回路Ａのみを駆動して二次側直流出力回路Ｂを駆動する場合に、第１放熱フィン２１だけでなく、使用されていない第２放熱フィン２３を有効利用してダイオード９，１１及びＦＥＴ８から発生する熱を効率よく放出させることができ、又、商用交流電源１が異常な状態において、直流電源回路Ｃのみを駆動して二次側直流出力回路Ｂを駆動する場合に、第２放熱フィン２３だけでなく、使用されていない第１放熱フィン２１を利用してダイオード２０及びＦＥＴ１９から発生する熱を有効に放出させることができるようにしている。
【００１８】
前記第１放熱フィン２１は、図３及び図５（ａ）に示すように、第１ケーシング２５側に固定されると共に前記ダイオード９，１１及びＦＥＴ８（図では示していない）の外面が接触した状態で取り付けられる本体部２１Ｂと、前記ねじ孔２１Ａを備えると共に前記本体部２１Ｂから折り曲げられて第１ケーシング２５から外部に露出される延出部２１Ｃと、放熱面積を増大させるためのフィン部２１Ｄとからなっているが、第１放熱フィン２１の形状は、図に示される形状以外のものであってもよい。又、第２放熱フィン２３は、図３及び図５（ｂ）に示すように、第２ケーシング２６側に固定されると共に前記ダイオード２０及びＦＥＴ１９の外面が接触した状態で取り付けられる本体部２３Ｂと、前記本体部２３Ｂに取り付けて放熱面積を増大させるための複数の補助フィン部２３Ｃと、前記本体部２３Ｂに一体化されると共に前述のように第２ケーシング２６から外部に露出した状態で延出された延出部２３Ｄとからなっているが、第２放熱フィン２３の形状は、図に示される形状以外のものであってもよい。図５（ｂ）では、別々に形成された本体部２３Ｂと複数の補助フィン部２３Ｃとを一体化しているが、本体部と補助フィン部を一体形成した単一（１個）のものから構成することもできる。図５（ａ），（ｂ）に示すＫは、ダイオード２０やスイッチング素子１９等の回路構成部品の脚部である導電体を取り付けるための基板である。
【００１９】
前記第１ケーシング２５の第２ケーシング２６連結方向の両端面に多数の孔２５Ｋを形成し、一方の端面に形成の孔２５Ｋを通して外気を取り入れた内部空気を他方の端面に形成の孔２５Ｋを通して外部に排出するための排出ファンＦを前記第１ケーシング２５内のうちの該他方の端面寄り位置に設けている。そして、前記第２ケーシング２６の第１ケーシング２５連結方向の両端面に多数の孔２６Ｋを形成し、前記排出ファンＦの吸引力を利用して第２ケーシング２６内に一方の端面に形成の孔２６Ｋを通して外気を取り入れた内部空気を他方の端面に形成の孔２６Ｋを通して第１ケーシング２５側へ移動させるように構成しており、強制冷却することにより、ケーシング２５，２６内の内部温度を効率よく下げることができるようにしている。
【００２０】
前記２つのケーシング２５，２６の固定と２つの放熱フィン２１，２３の固定とを１つのねじ２７により行うことによって、部品点数の削減及び固定操作の迅速化を図ることができる利点があるが、別々の固定手段にて固定してもよい。
【００２１】
【発明の効果】
請求項１の発明によれば、電源回路と直流電源回路とを負荷に対して高周波トランスを介して並列に接続することによって、従来のようにＤＣ−ＤＣコンバータやバッテリ等を二次側に設けるものに比べて、回路の簡素化及び装置の小型（省スペース）化は勿論のこと、高効率化をも実現することができ、しかも各種機能を持った電源装置に構成することを組み立て作業面は勿論のこと、コスト面においても有利な電源装置を提供することができ、ユーザー及び製造者の両方において有益な電源装置とすることができる。又、直流電源回路ユニットを交流駆動側ユニットに接続した時に、熱伝導手段にて、直流電源回路ユニットの第２放熱フィンと交流駆動側ユニットの第１放熱フィンとを互いに熱伝導状態にすることによって、放熱面積を飛躍的に増やすことができ、熱による悪影響を受けにくい安定した電源装置を装置の大型化を可及的に抑制しながら実現することができる。
【００２２】
請求項３の発明によれば、第１放熱フィンと第２放熱フィンとを連結手段にて直接接触状態にすることによって、金属製の第１ケーシング及び第２ケーシングを介して熱伝導させる場合に比べて熱伝導率が低下することを可及的に回避することができ、その分熱放出を効率よく行うことができ、その分放熱フィンの小型化を図ることができる。又、連結手段にて第１ケーシング及び第２ケーシングを一体化することができるから、別々に連結手段を設けたものに比べて、部品点数の削減化及び連結操作の迅速化を同時に図ることができる。
【００２３】
請求項６の発明によれば、第１ケーシングに形成した孔を通してそれの内部空気を外部に排出するための排出ファンを第１ケーシング内に設け、第２ケーシング内の内部空気を排出ファンにより第１ケーシング側へ移動させるための空気案内用の孔を前記第１ケーシング及び第２ケーシングに形成することによって、強制的に効率よく内部の温度を下げることができ、フィンの小型化による装置の小型化を一層図ることができる。
【図面の簡単な説明】
【図１】無停電性二重化電源装置を構成する概略ブロック図である。
【図２】第１ケーシングと第２ケーシングを一体化した無停電性二重化電源装置の外観を示し、（ａ）は、それの平面図、（ｂ）は、それの側面図、（ｃ）はそれの第２ケーシング側から見た正面図である。
【図３】第１ケーシングに第２ケーシングを一体化する直前の状態を示す分解斜視図である。
【図４】一体化された２つのケーシング内の構成を示す概略説明図である。
【図５】ケーシング内の放熱フィンの形状を示し、（ａ）は、第１放熱フィンの形状を示すケーシングの断面図であり、（ｂ）は第２放熱フィンの形状を示す従来の無停電性二重化電源装置の具体構成を示すケーシングの断面図である。
【図６】従来の無停電性二重化電源装置の具体構成を示す概略ブロック図である。
【符号の説明】
１  商用交流電源          ２  高周波トランス
３  二次電池（バッテリ）  ４  整流回路
５  アクティブフィルター回路
６  平滑コンデンサ        ７  ゲート回路
８  ＦＥＴ（スイッチング素子）
１０  マグアンプ
１１  転流ダイオード      １２  平滑コイル
１３  平滑コンデンサ      １４  負荷
１５  制御回路
１６  バッテリ状態監視信号回路
１７  充電回路            １８  ゲート回路
１９  ＦＥＴ（スイッチング素子）
２０  逆流阻止ダイオード  ２１  第１放熱フィン
２１Ａ  ねじ孔            ２１Ｂ  本体部
２１Ｃ  延出部            ２１Ｄ  フィン部
２２  交流駆動側ユニット  ２３  第２放熱フィン
２３Ａ  貫通孔            ２３Ｂ  本体部
２３Ｃ  補助フィン部      ２３Ｄ  延出部
２４  直流電源回路ユニット
２５第１ケーシング        ２５Ａ，２５Ｋ  孔
２６  第２ケーシング      ２６Ａ，２６Ｋ  孔
２７  ねじ手段（連結手段）
２８  熱伝導手段          ２９  電線
３０  信号線              ５０  コンバータ
Ａ  電源回路              Ｂ  二次側直流出力回路
Ｃ  直流電源回路          Ｎ１，Ｎ２，Ｎ３  巻線
Ｓ１，Ｓ２  接続部
【図１】
0003578145.tif 000002
【図２】
0003578145.tif 000003
【図３】
0003578145.tif 000004
【図４】
0003578145.tif 000005
【図５】
0003578145.tif 000006
【図６】
0003578145.tif 000007